(57)【要約】【課題】負荷への電源供給が途絶えることなく、コンバータの切替を高速に実行することが可能な電源装置を提供する。【解決手段】メインＤＣ／ＤＣコンバータを起動する（ステップＳ１０）。次に、起動信号が入力されたかどうか判断する（ステップＳ１４）。ステップＳ１４において、起動信号が電源制御部に入力された場合には、サブＤＣ／ＤＣコンバータが起動する（ステップＳ１５）。サブＤＣ／ＤＣコンバータが起動した後、出力電流を確認する（ステップＳ１６）。次に、出力電流監視部の電流値を比較し、出力電流監視部の電流値が一致するかどうかを判断する（ステップＳ１７）。電流値が一致すると判断する場合（ステップＳ１７においてＹＥＳ）には、メインＤＣ／ＤＣコンバータより全ての電圧が供給されている状態と判定（ステップＳ２０）して、起動処理を終了する（エンド）。【選択図】図２
2012044725.tif 000002
【特許請求の範囲】
【請求項１】
外部電源と接続され、外部装置の動作モード時に所定電圧を供給するための第１の電源コンバータと、
前記第１の電源コンバータの出力端と接続され、前記第１の電源コンバータの出力端の電流を検出するための第１の電流検出手段と、
前記第１の電源コンバータと並列に前記外部電源と接続され、前記外部装置の待機モード時に所定電圧を供給するための第２の電源コンバータと、
前記第１および第２の電源コンバータの出力端と接続され、前記第１および第２の電源コンバータの出力端の電流を検出するための第２の電流検出手段と、
前記動作モードの起動時に前記第１の電源コンバータを起動させてから、前記第２の電源コンバータが起動した場合に、前記第１の電流検出手段で検出される電流値と、前記第２の電流検出手段で検出される電流値との差が生じた場合には、前記第１の電源コンバータの出力電圧を増加させて、前記第１の電流検出手段と前記第２の電流検出手段とで検出される電流値が一致するように前記第１の電源コンバータを制御する電源制御部とを備える、電源装置。
【請求項２】
前記電源制御部は、前記第１の電流検出手段で検出される電流値と、前記第２の電流検出手段で検出される電流値との差が、前記第２の電源コンバータの過電流保護リミット値を越える前に前記第１の電源コンバータの出力電圧を増加させる、請求項１記載の電源装置。
【請求項３】
前記外部装置が待機モードとなったか否かを判定する判定手段をさらに備え、
前記電源制御部は、前記判定手段の判定信号に従って前記第１の電流検出手段で検出される電流値が小さくなるように前記第１の電源コンバータを制御し、前記外部電源から前記第１の電源コンバータへの電源供給を停止する、請求項１または２に記載の電源装置。
【請求項４】
前記判定手段は、前記第２の電流検出手段で検出される電流値が所定の電流値以下であるかを判定する、請求項３記載の電源装置。
【請求項５】
前記外部装置は、前記待機モードから前記動作モードに復帰する場合に前記外部電源から前記第１の電源コンバータへの電源供給を再開を指示し、
前記電源制御部は、前記待機モードから前記動作モードに復帰する場合に前記第１の電源コンバータの出力電圧を増加させ、前記第１の電流検出手段と前記第２の電流検出手段とで検出される電流値が一致するように前記第１の電源コンバータを制御する、請求項３または４に記載の電源装置。
【請求項６】
外部電源と接続され、外部装置の動作モード時に所定電圧を供給するための第１の電源コンバータと、
前記第１の電源コンバータの出力端と接続され、前記第１の電源コンバータの出力端の電流を検出するための第１の電流検出手段と、
前記第１の電源コンバータと並列に前記外部電源と接続され、前記外部装置の待機モード時に所定電圧を供給するための第２の電源コンバータと、
前記第２の電源コンバータの出力端と接続され、前記第２の電源コンバータの出力端の電流を検出するための第２の電流検出手段と、
前記動作モードの起動時に前記第１の電源コンバータを起動させてから、前記第２の電源コンバータが起動した場合に、前記第２の電流検出手段で検出される電流値が０となるように前記第１の電源コンバータの出力電圧を増加させて制御する電源制御部とを備える、電源装置。
【請求項７】
前記外部装置が待機モードとなったか否かを判定する判定手段をさらに備え、
前記電源制御部は、前記判定手段の判定信号に従って前記第１の電流検出手段で検出される電流値が小さくなるように前記第１の電源コンバータを制御し、前記外部電源から前記第１の電源コンバータへの電源供給を停止する、請求項６に記載の電源装置。
【請求項８】
前記判定手段は、前記第２の電流検出手段で検出される電流値が所定の電流値以下であるかを判定する、請求項７記載の電源装置。
【請求項９】
前記外部装置は、前記待機モードから前記動作モードに復帰する場合に前記外部電源から前記第１の電源コンバータへの電源供給を再開を指示し、
前記電源制御部は、前記待機モードから前記動作モードに復帰する場合に前記第１の電源コンバータの出力電圧を増加させ、前記第２の電流検出手段で検出される電流値が０となるように前記第１の電源コンバータの出力電圧を増加させて制御する、請求項７または８に記載の電源装置。
【請求項１０】
画像形成部と、
前記画像形成部に所定電圧を供給する電源装置とを備え、
前記電源装置は、
外部電源と接続され、前記画像形成部の動作モード時に前記所定電圧を供給するための第１の電源コンバータと、
前記第１の電源コンバータの出力端と接続され、前記第１の電源コンバータの出力端の電流を検出するための第１の電流検出手段と、
前記第１の電源コンバータと並列に前記外部電源と接続され、前記画像形成部の待機モード時に所定電圧を供給するための第２の電源コンバータと、
前記第１および第２の電源コンバータの出力端と接続され、前記第１および第２の電源コンバータの出力端の電流を検出するための第２の電流検出手段と、
前記動作モードの起動時に前記第１の電源コンバータを起動させてから、前記第２の電源コンバータが起動した場合に、前記第１の電流検出手段で検出される電流値と、前記第２の電流検出手段で検出される電流値との差が生じた場合には、前記第１の電源コンバータの出力電圧を増加させて、前記第１の電流検出手段と前記第２の電流検出手段とで検出される電流値が一致するように前記第１の電源コンバータを制御する電源制御部とを含む、画像形成装置。
【請求項１１】
画像形成部と、
前記画像形成部に所定電圧を供給する電源装置とを備え、
前記電源装置は、
外部電源と接続され、前記画像形成部の動作モード時に所定電圧を供給するための第１の電源コンバータと、
前記第１の電源コンバータの出力端と接続され、前記第１の電源コンバータの出力端の電流を検出するための第１の電流検出手段と、
前記第１の電源コンバータと並列に前記外部電源と接続され、前記画像形成部の待機モード時に所定電圧を供給するための第２の電源コンバータと、
前記第２の電源コンバータの出力端と接続され、前記第２の電源コンバータの出力端の電流を検出するための第２の電流検出手段と、
前記動作モードの起動時に前記第１の電源コンバータを起動させてから、前記第２の電源コンバータが起動した場合に、前記第２の電流検出手段で検出される電流値が０となるように前記第１の電源コンバータの出力電圧を増加させて制御する電源制御部とを含む、画像形成装置。
【発明の詳細な説明】
【技術分野】
【０００１】
この発明は、２電源方式の電源装置およびこの電源装置を備えた画像形成装置に関する。
【背景技術】
【０００２】
省エネルギ化のため、画像形成装置等の機器には、メインＤＣ／ＤＣコンバータ、サブＤＣ／ＤＣコンバータの２つのコンバータを有する２電源方式の電源装置が設けられている場合がある。
【０００３】
具体的には、メインＤＣ／ＤＣコンバータは、消費電力の大きい通常動作モード時の電源供給用に電源効率を最適化し、サブＤＣ／ＤＣコンバータは消費電力の小さいスリープモード時（待機モード時）の電源供給用に電源効率を最適化する。
【０００４】
そして、各モードに合せて電源供給を行なうＤＣ／ＤＣコンバータを切換えて、各モードに対して効率が最適化されたＤＣ／ＤＣコンバータから電源供給を行なう方式が採用されている。
【０００５】
たとえば、特開２０００−３２４８２０号公報においては、予め各コンバータの起動時間をメモリ等の記録媒体に記憶しておき、通常動作モード移行時に通常動作モードに対応したコンバータを起動して起動開始から記憶しておいた起動時間を計測回路にて計測し、起動時間経過後に通常動作モードに対応しないコンバータをオフして、各モードに対応したコンバータから負荷への電源供給を行なう方式が提案されている。
【先行技術文献】
【特許文献】
【０００６】
【特許文献１】特開２０００−３２４８２０号公報
【発明の概要】
【発明が解決しようとする課題】
【０００７】
しかしながら、特許文献１に従う方式においては、あらゆる状況下において、通常動作モードに対応したコンバータが確実に起動してから通常動作モードに対応しないコンバータをオフするまでに最大の起動時間を予め記憶媒体に記憶しておく必要があるが、コンバータの起動時間は負荷条件等によりばらつき、最大の起動時間を決定することは難しいという問題がある。
【０００８】
一方で、通常動作モードに対応したコンバータが予め記憶されたコンバータの起動時間を経ても起動が完了していない場合、コンバータの起動前に通常動作モードに対応しないコンバータがオフされ、負荷への電源供給が遮断されてしまい負荷の動作が停止するという問題もある。
【０００９】
起動時間を実際よりも長く想定しておくことも可能であるがこれでは例えば、スリープモードからの復帰時間が長くなる等の問題が発生してしまうことにもなる。
【００１０】
本発明は、上記のような問題を解決するためになされたものであって、負荷への電源供給が途絶えることなく、コンバータの切替を高速に実行することが可能な電源装置およびそれを備えた画像形成装置を提供することを目的とする。
【課題を解決するための手段】
【００１１】
本発明のある局面に従う電源装置は、外部電源と接続され、外部装置の動作モード時に所定電圧を供給するための第１の電源コンバータと、第１の電源コンバータの出力端と接続され、第１の電源コンバータの出力端の電流を検出するための第１の電流検出手段と、第１の電源コンバータと並列に外部電源と接続され、外部装置の待機モード時に所定電圧を供給するための第２の電源コンバータと、第１および第２の電源コンバータの出力端と接続され、第１および第２の電源コンバータの出力端の電流を検出するための第２の電流検出手段と、動作モードの起動時に第１の電源コンバータを起動させてから、第２の電源コンバータが起動した場合に、第１の電流検出手段で検出される電流値と、第２の電流検出手段で検出される電流値との差が生じた場合には、第１の電源コンバータの出力電圧を増加させて、第１の電流検出手段と第２の電流検出手段とで検出される電流値が一致するように第１の電源コンバータを制御する電源制御部とを備える。
【００１２】
好ましくは、電源制御部は、第１の電流検出手段で検出される電流値と、第２の電流検出手段で検出される電流値との差が、第２の電源コンバータの過電流保護リミット値を越える前に第１の電源コンバータの出力電圧を増加させる。
【００１３】
好ましくは、外部装置が待機モードとなったか否かを判定する判定手段をさらに備え、電源制御部は、判定手段の判定信号に従って第１の電流検出手段で検出される電流値が小さくなるように第１の電源コンバータを制御し、外部電源から第１の電源コンバータへの電源供給を停止する。
【００１４】
特に、判定手段は、第２の電流検出手段で検出される電流値が所定の電流値以下であるかを判定する。
【００１５】
特に、外部装置は、待機モードから動作モードに復帰する場合に外部電源から第１の電源コンバータへの電源供給を再開を指示し、電源制御部は、待機モードから動作モードに復帰する場合に第１の電源コンバータの出力電圧を増加させ、第１の電流検出手段と第２の電流検出手段とで検出される電流値が一致するように第１の電源コンバータを制御する。
【００１６】
本発明の別の局面に従う電源装置は、外部電源と接続され、外部装置の動作モード時に所定電圧を供給するための第１の電源コンバータと、第１の電源コンバータの出力端と接続され、第１の電源コンバータの出力端の電流を検出するための第１の電流検出手段と、第１の電源コンバータと並列に外部電源と接続され、外部装置の待機モード時に所定電圧を供給するための第２の電源コンバータと、第２の電源コンバータの出力端と接続され、第２の電源コンバータの出力端の電流を検出するための第２の電流検出手段と、動作モードの起動時に第１の電源コンバータを起動させてから、第２の電源コンバータが起動した場合に、第２の電流検出手段で検出される電流値が０となるように第１の電源コンバータの出力電圧を増加させて制御する電源制御部とを備える。
【００１７】
好ましくは、外部装置が待機モードとなったか否かを判定する判定手段をさらに備え、電源制御部は、判定手段の判定信号に従って第１の電流検出手段で検出される電流値が小さくなるように第１の電源コンバータを制御し、外部電源から第１の電源コンバータへの電源供給を停止する。
【００１８】
特に、判定手段は、第２の電流検出手段で検出される電流値が所定の電流値以下であるかを判定する。
【００１９】
特に、外部装置は、待機モードから動作モードに復帰する場合に外部電源から第１の電源コンバータへの電源供給を再開を指示し、電源制御部は、待機モードから動作モードに復帰する場合に第１の電源コンバータの出力電圧を増加させ、第２の電流検出手段で検出される電流値が０となるように第１の電源コンバータの出力電圧を増加させて制御する。
【００２０】
本発明のある局面に従う画像形成装置は、画像形成部と、画像形成部に所定電圧を供給する電源装置とを備える。電源装置は、外部電源と接続され、画像形成部の動作モード時に所定電圧を供給するための第１の電源コンバータと、第１の電源コンバータの出力端と接続され、第１の電源コンバータの出力端の電流を検出するための第１の電流検出手段と、第１の電源コンバータと並列に外部電源と接続され、画像形成部の待機モード時に所定電圧を供給するための第２の電源コンバータと、第１および第２の電源コンバータの出力端と接続され、第１および第２の電源コンバータの出力端の電流を検出するための第２の電流検出手段と、動作モードの起動時に第１の電源コンバータを起動させてから、第２の電源コンバータが起動した場合に、第１の電流検出手段で検出される電流値と、第２の電流検出手段で検出される電流値との差が生じた場合には、第１の電源コンバータの出力電圧を増加させて、第１の電流検出手段と第２の電流検出手段とで検出される電流値が一致するように第１の電源コンバータを制御する電源制御部とを含む。
【００２１】
本発明の別の局面に従う画像形成装置は、画像形成部と、画像形成部に所定電圧を供給する電源装置とを備える。電源装置は、外部電源と接続され、画像形成部の動作モード時に所定電圧を供給するための第１の電源コンバータと、第１の電源コンバータの出力端と接続され、第１の電源コンバータの出力端の電流を検出するための第１の電流検出手段と、第１の電源コンバータと並列に外部電源と接続され、画像形成部の待機モード時に所定電圧を供給するための第２の電源コンバータと、第２の電源コンバータの出力端と接続され、第２の電源コンバータの出力端の電流を検出するための第２の電流検出手段と、動作モードの起動時に第１の電源コンバータを起動させてから、第２の電源コンバータが起動した場合に、第２の電流検出手段で検出される電流値が０となるように第１の電源コンバータの出力電圧を増加させて制御する電源制御部とを含む。
【発明の効果】
【００２２】
本発明に従う電源装置および画像形成装置は、動作モードの起動時に第１の電源コンバータを起動させてから、第２の電源コンバータが起動した場合に、第１の電流検出手段で検出される電流値と、第２の電流検出手段で検出される電流値との差が生じた場合には、第１の電源コンバータの出力電圧を増加させて、第１の電流検出手段と第２の電流検出手段とで検出される電流値が一致するように第１の電源コンバータを制御する。当該構成により、負荷への電源供給が途絶えることなく、コンバータの切替を高速に実行することが可能となる。
【００２３】
本発明の別の面に従う電源装置および画像形成装置は、動作モードの起動時に第１の電源コンバータを起動させてから、第２の電源コンバータが起動した場合に、第２の電流検出手段で検出される電流値が０となるように第１の電源コンバータの出力電圧を増加させて制御する。当該構成により、負荷への電源供給が途絶えることなく、コンバータの切替を高速に実行することが可能となる。
【図面の簡単な説明】
【００２４】
【図１】本発明の実施の形態１に従う電源装置の回路構成を説明する図である。
【図２】本発明の実施の形態１に従う電源装置２の通常動作モードの起動時の動作について説明するフロー図である。
【図３】本発明の実施の形態１に従う電源装置２のスリープモードの移行処理開始の動作について説明するフロー図である。
【図４】本発明の実施の形態１に従う電源装置２のスリープモードの復帰処理の動作について説明するフロー図である。
【図５】本発明の実施の形態２に従う電源装置の回路構成を説明する図である。
【図６】本発明の実施の形態２に従う電源装置２＃の通常動作モードの起動時の動作について説明するフロー図である。
【図７】本発明の実施の形態２に従う電源装置２＃のスリープモードの移行処理開始の動作について説明するフロー図である。
【図８】本発明の実施の形態２に従う電源装置２＃のスリープモードの復帰処理の動作について説明するフロー図である。
【図９】本発明の実施の形態に従う電源装置が搭載された画像形成装置の概略ブロック図である。
【発明を実施するための形態】
【００２５】
以下に、図面を参照しつつ、本発明の実施の形態について説明する。以下の説明では、同一の部品および構成要素には同一の符号を付してある。それらの名称および機能も同じである。
【００２６】
（実施の形態１）
図１は、本発明の実施の形態１に従う電源装置の回路構成を説明する図である。
【００２７】
図１を参照して、本発明の実施の形態１に従う電源装置２は、制御基板２１に対して電源供給を行なう。
【００２８】
電源装置２は、制御基板２１が通常動作モード（負荷が重い状態）の場合に電源供給を行なうためのメインＤＣ／ＤＣコンバータ１０３と、スリープ（待機）モード（負荷が軽い状態）の場合に電源供給を行なうためのサブＤＣ／ＤＣコンバータ１０４とを有している。
【００２９】
交流電源ＡＣは、メインＤＣ／ＤＣコンバータ１０３と、サブＤＣ／ＤＣコンバータ１０４とに電源供給されるようにメインＤＣ／ＤＣコンバータ１０３とサブＤＣ／ＤＣコンバータ１０４とを並列に接続する。
【００３０】
まず、メインＤＣ／ＤＣコンバータ１０３について説明する。
メインＤＣ／ＤＣコンバータ１０３において、交流電源ＡＣの正極側の電源ラインは、スイッチＳＷ１を介してノードＮａと電気的に結合される。また、交流電源ＡＣの負極側の電源ラインは、ノードＮｂと電気的に結合される。
【００３１】
ノードＮａとノードＮｂとの間には４つのダイオードＤ５ａ〜Ｄ５ｄでブリッジ接続された整流回路が設けられる。具体的には、ダイオードＤ５ａは、アノード側がノードＮａと結合され、カソード側がノードＮｃと結合される。また、ダイオードＤ５ｂは、アノード側がノードＮｂと結合され、カソード側がノードＮｃと結合される。また、ダイオードＤ５ｃは、アノード側がノードＮｄと結合され、カソード側がノードＮｂと結合される。また、ダイオードＤ５ｄは、アノード側がノードＮｄと結合され、カソード側がノードＮａと結合される。
【００３２】
整流回路の出力ノードであるノードＮｃとノードＮｄとの間には、平滑コンデンサＣ６と、スイッチＳＷ３を介してトランスＴ７の一次巻線８とが並列に接続される。２次側の構成として、トランスＴ７の二次巻線９は、整流ダイオードＤ１０を介して電源ノードＮｐと電源ノードＮｑとの間において、平滑コンデンサＣ１１と並列に接続される。
【００３３】
出力電流監視部５０は、正極側の電源ノードＮｐと負極側の電源ノードＮｑとの間に平滑コンデンサＣ１１と並列に接続される。電流検出抵抗Ｒ５１は、電源ノードＮｐと電源ノードＮｒとの間に設けられる。出力電流監視部５０は、電流検出抵抗Ｒ５１に流れる電流を検出して、電流値を示す検出信号Ｓ５を電源制御部１５に出力する。
【００３４】
出力電圧監視部１４は、電源ノードＮｒと電源ノードＮｑとの間に出力電流監視部５０と並列に接続される。また、電源ノードＮｒと電源ノードＮｑとの間に抵抗Ｒ１２，Ｒ１３を接続し、出力電圧監視部１４は、抵抗Ｒ１２，Ｒ１３による抵抗分割により分圧した電圧を監視して、その検出信号Ｓ２を電源制御部１５に出力する。
【００３５】
出力電流監視部５２は、電源ノードＮｒと電源ノードＮｑとの間に出力電圧監視部１４と並列に接続される。電流検出抵抗Ｒ５３は、電源ノードＮｒと制御基板２１との間に設けられる。出力電流監視部５２は、電流検出抵抗Ｒ５３に流れる電流を検出して、電流値を示す検出信号Ｓ６を電源制御部１５に出力する。
【００３６】
電源制御部１５には駆動電源としてトランスＴ７の補助巻線１７が接続される。
電源制御部１５は、出力電流監視部５０からの検出信号Ｓ５、出力電圧監視部１４からの検出信号Ｓ２、出力電流監視部５２からの検出信号Ｓ６の入力を受け、これら検出信号に従ってスイッチＳＷ３およびＳＷ１のオンオフを制御する。
【００３７】
次に、サブＤＣ／ＤＣコンバータ１０４について説明する。
サブＤＣ／ＤＣコンバータ１０４において、交流電源ＡＣの正極側の電源ラインは、ノードＮｅと電気的に結合される。また、交流電源ＡＣの負極側の電源ラインは、ノードＮｆと電気的に結合される。
【００３８】
ノードＮｅとノードＮｆとの間には４つのダイオードＤ１０５ａ〜Ｄ１０５ｄでブリッジ接続された整流回路が設けられる。具体的には、ダイオードＤ１０５ａは、アノード側がノードＮｅと結合され、カソード側がノードＮｇと結合される。また、ダイオードＤ１０５ｂは、アノード側がノードＮｆと結合され、カソード側がノードＮｇと結合される。また、ダイオードＤ１０５ｃは、アノード側がノードＮｈと結合され、カソード側がノードＮｆと結合される。また、ダイオードＤ１０５ｄは、アノード側がノードＮｈと結合され、カソード側がノードＮｅと結合される。なお、ノードＮｄとノードＮｈとは電気的に結合される。
【００３９】
整流回路の出力ノードであるノードＮｇとノードＮｈとの間には、平滑コンデンサＣ１０６と、スイッチＳＷ２を介してトランスＴ１０７の一次巻線１０８とが並列に接続される。２次側の構成として、トランスＴ１０７の二次巻線１０９は、整流ダイオードＤ１１０を介して電源ノードＮｓと電源ノードＮｔとの間において、平滑コンデンサＣ１１１と並列に接続される。
【００４０】
出力電圧監視部１１４は、電源ノードＮｓと電源ノードＮｔとの間に平滑コンデンサＣ１１１と並列に接続される。また、電源ノードＮｓと電源ノードＮｔとの間に抵抗Ｒ１１２，Ｒ１１３を接続し、出力電圧監視部１１４は、抵抗Ｒ１１２，Ｒ１１３による抵抗分割により分圧した電圧を監視して、その検出信号Ｓ３を電源制御部１１５に出力する。
【００４１】
電源ノードＮｓと電源ノードＮｒとは電気的に結合され、電源ノードＮｔと電源ノードＮｑとは電気的に結合され、サブＤＣ／ＤＣコンバータ１０４から制御基板２１への電源供給が可能となる。
【００４２】
電源制御部１１５には駆動電源としてトランスＴ１０７の補助巻線１１が接続される。
電源制御部１１５は、出力電圧監視部１１４からの検出信号Ｓ３、制御基板２１からの起動信号Ｓ７の入力を受け、これら信号に従ってスイッチＳＷ２のオンオフを制御する。
【００４３】
次に、図１の電源装置２の通常動作モードの起動時の動作について説明する。
電源装置２に交流電源ＡＣが接続されると、メインＤＣ／ＤＣコンバータ１０３、サブＤＣ／ＤＣコンバータ１０４に交流電圧が供給される。
【００４４】
サブＤＣ／ＤＣコンバータ１０４は、ダイオードＤ１０５ａ〜Ｄ１０５ｄにより交流電圧を整流し、さらに、平滑コンデンサＣ１０６で平滑する。
【００４５】
電源制御部１１５は、制御基板２１からの起動信号Ｓ７に従って起動し、スイッチＳＷ２をオンする制御信号Ｓ８を出力する。この時点においては、制御基板２１からの起動信号Ｓ７は、電源制御部１１５に入力されていないのでスイッチＳＷ２をオンする制御信号Ｓ８は出力されていない。したがって、スイッチＳＷ２はオフであり、トランスＴ１０７への電源供給はオフされており、サブＤＣ／ＤＣコンバータ１０４は起動していない状態である。
【００４６】
一方、メインＤＣ／ＤＣコンバータ１０３は、ダイオードＤ５ａ〜Ｄ５ｄにより交流電圧を整流し、さらに、平滑コンデンサＣ６で平滑する。なお、スイッチＳＷ１は起動時において導通状態であるものとする。
【００４７】
そして、平滑された電圧をトランスＴ７により電圧Ｖ２０に変圧し、二次側へ供給する。そして、電圧Ｖ２０を整流ダイオードＤ１０により整流し、平滑コンデンサＣ１１により平滑する。そして、変圧された電圧Ｖ２０は、電流検出抵抗Ｒ５１，Ｒ５３を介して所定電圧（本例においては、３．４Ｖ）で制御基板２１へ供給する。
【００４８】
また、この所定電圧（３．４Ｖ）を抵抗Ｒ１２，Ｒ１３により分割した電圧が出力電圧監視部１４に入力される。出力電圧監視部１４は、分割した電圧レベルを監視し、検出信号Ｓ２を電源制御部１５に出力する。
【００４９】
電源制御部１５は、出力電圧監視部１４から出力された検出信号Ｓ２に従って、２次側の制御基板２１に供給される電圧が所定電圧（３．４Ｖ）となるように制御信号Ｓ１に従うスイッチＳＷ３のオンオフ制御（ＰＷＭ制御）を実行する。この動作によりトランスＴ７をスイッチング制御し、出力電圧を３．４Ｖに維持する。
【００５０】
そして、制御基板２１は、メインＤＣ／ＤＣコンバータ１０３により所定電圧（３．４Ｖ）が供給されて起動する。
【００５１】
制御基板２１は、通常動作モードの起動時にサブＤＣ／ＤＣコンバータ１０４の電源制御部１１５へ起動信号Ｓ７を出力する。
【００５２】
サブＤＣ／ＤＣコンバータ１０４の電源制御部１１５は、起動信号Ｓ７の受信に従い起動して、ＰＷＭ制御を開始する。具体的には、電源制御部１１５は、スイッチＳＷ２をオンオフ制御する制御信号Ｓ８を出力する。この動作により、整流平滑された電圧がトランスＴ１０７へ供給される。
【００５３】
そして、平滑された電圧をトランスＴ１０７により電圧Ｖ１２０に変圧し、二次側へ供給する。そして、電圧Ｖ１２０を整流ダイオードＤ１１０により整流し、平滑コンデンサＣ１１１により平滑する。電源ノードＮｓ，Ｎｔは、それぞれ電源ノードＮｒ，Ｎｑと電気的に結合されているため所定電圧（本例においては３．４Ｖ）を制御基板２１側へ供給する。
【００５４】
また、この所定電圧（３．４Ｖ）を抵抗Ｒ１１２，Ｒ１１３により分割した電圧が出力電圧監視部１１４に入力される。出力電圧監視部１１４は、分割した電圧レベルを監視し、検出信号Ｓ３を電源制御部１１５に出力する。
【００５５】
電源制御部１１５は、出力電圧監視部１１４から出力された検出信号Ｓ３に従って、２次側に供給する電圧が所定電圧（３．４Ｖ）となるように制御信号Ｓ８に従うスイッチＳＷ２のオンオフ制御（ＰＷＭ制御）を実行する。この動作によりトランスＴ１０７をスイッチング制御し、出力電圧を３．４Ｖに維持しようとする。
【００５６】
この時点において、メインＤＣ／ＤＣコンバータ１０３およびサブＤＣ／ＤＣコンバータ１０４が互いに並列に接続された状態で制御基板２１に対する所定電圧（３．４Ｖ）の電圧供給が行われる。
【００５７】
出力電流監視部５０は、電流検出抵抗Ｒ５１の電流容量を監視し、メインＤＣ／ＤＣコンバータ１０３から供給される所定電圧（３．４Ｖ）の電流レベル（電流値）に相当する検出信号Ｓ５を電源制御部１５に出力する。
【００５８】
出力電流監視部５２は、電流検出抵抗Ｒ５３の電流容量を監視する。具体的には、出力電流監視部５２は、メインＤＣ／ＤＣコンバータ１０３から供給される所定電圧（３．４Ｖ）と、サブＤＣ／ＤＣコンバータ１０４から供給される所定電圧（３．４Ｖ）とが並列接続された場合には直列接続された電流検出抵抗Ｒ５３の静電容量を監視し、メインＤＣ／ＤＣコンバータ１０３からの所定電圧（３．４Ｖ）とサブＤＣ／ＤＣコンバータ１０４からの所定電圧（３．４Ｖ）とに従うトータルの電流レベル（電流値）に相当する検出信号Ｓ６を電源制御部１５に出力する。
【００５９】
サブＤＣ／ＤＣコンバータ１０４が起動するまでは、出力電流監視部５０による検出信号Ｓ５と、出力電流監視部５２による検出信号Ｓ６との間で電流レベルに差はないが、サブＤＣ／ＤＣコンバータ１０４が起動した場合には、サブＤＣ／ＤＣコンバータ１０４からの所定電圧の供給が始まるため出力電流監視部５０の検出信号Ｓ５と出力電流監視部５２の検出信号Ｓ６との間に差が生じ始める。
【００６０】
検出信号Ｓ５と検出信号Ｓ６との間で差が生じ始めるということは、メインＤＣ／ＤＣコンバータ１０３およびサブＤＣ／ＤＣコンバータ１０４の両方から所定電圧が供給されていることを意味する。
【００６１】
本発明の実施の形態１に従う電源装置においては、通常動作モードにおいてメインＤＣ／ＤＣコンバータ１０３から所定電圧（３．４Ｖ）を供給するように電源制御部１５は制御する。
【００６２】
具体的には、電源制御部１５は、出力電流監視部５０の検出信号Ｓ５と出力電流監視部５２の検出信号Ｓ６との間の差を監視し、サブＤＣ／ＤＣコンバータ１０４の電流レベルが過電流飽和リミット値（たとえば１Ａ）を越える前に、メインＤＣ／ＤＣコンバータ１０３のトランスＴ７をスイッチング制御し、出力電圧Ｖ２０を増加させる。そして、電源制御部１５は、出力電圧Ｖ２０を増加させて出力電流監視部５０による検出信号Ｓ５と出力電流監視部５２による検出信号Ｓ６との間に差がなくなるように制御する。検出信号Ｓ５と検出信号Ｓ６との間に差が無くなるように制御するということは、制御基板２１に対する電圧供給は、全て、メインＤＣ／ＤＣコンバータ１０３からの供給であることを意味する。
【００６３】
すなわち、通常動作モード時においては、メインＤＣ／ＤＣコンバータ１０３から所定電圧（３．４Ｖ）が制御基板２１に供給され、サブＤＣ／ＤＣコンバータ１０４からは所定電圧（３．４Ｖ）が制御基板２１に供給されない構成とする。
【００６４】
次に、図１の電源装置２のスリープモード移行時の動作について説明する。
電源制御部１５は、制御基板２１がスリープモードに移行した場合の必要電流値（例えば、０．５Ａ）を予め記憶しているものとする。
【００６５】
出力電流監視部５２は、電流検出抵抗Ｒ５３の電流容量を監視し、制御基板２１がスリープモードに移行する際の電流レベル（電流値）に相当する検出信号Ｓ６を電源制御部１５に出力する。
【００６６】
電源制御部１５は、出力されてきた検出信号Ｓ６に基づいて制御基板２１での必要電流値（０．５Ａ）以下となったかどうかを判断する。
【００６７】
そして、電源制御部１５は、検出信号Ｓ６に従って必要電流値以下となったと判断した場合に、制御基板２１はスリープモードに移行したと判定し、メインＤＣ／ＤＣコンバータ１０３のトランスＴ７をスイッチング制御し、出力電圧Ｖ２０を減少させる。
【００６８】
これにより、サブＤＣ／ＤＣコンバータ１０４から制御基板２１への電圧供給が行われ、サブＤＣ／ＤＣコンバータ１０４からスリープモード時の電流０．５Ａを流れ出す動作が行なわれる。
【００６９】
そして、その後、電源制御部１５は、メインＤＣ／ＤＣコンバータ１０３をオフにするためにスリープ制御信号Ｓ４をスイッチＳＷ１に出力する。
【００７０】
スイッチＳＷ１は、スリープ制御信号Ｓ４の入力に応答してオフ状態となり、メインＤＣ／ＤＣコンバータ１０３への交流電源ＡＣの供給を遮断する。
【００７１】
すなわち、スリープモード移行時において、メインＤＣ／ＤＣコンバータ１０３はオフ状態となり、サブＤＣ／ＤＣコンバータ１０４から制御基板２１に対する電圧供給が継続される。
【００７２】
したがって、制御基板２１への電圧供給が途絶えることなく、高速にメインＤＣ／ＤＣコンバータ１０３からサブＤＣ／ＤＣコンバータ１０４への切換が実行される。
【００７３】
次に、図１の電源装置２のスリープモードから通常動作モードへの復帰時の動作について説明する。
【００７４】
制御基板２１は、スリープモードから通常動作モードへの復帰前にスイッチＳＷ１をオンするように制御信号Ｓ８をスイッチＳＷ１に出力する。スイッチＳＷ１は、制御信号Ｓ８の入力を受けてオン状態となり、メインＤＣ／ＤＣコンバータ１０３と交流電源ＡＣとが電気的に結合される。
【００７５】
これに伴い、メインＤＣ／ＤＣコンバータ１０３が起動し、ダイオードＤ５ａ〜Ｄ５ｄにより交流電圧を整流し、さらに、平滑コンデンサＣ６で平滑する。そして、平滑された電圧をトランスＴ７により電圧Ｖ２０に変圧し、二次側へ供給する。そして、電圧Ｖ２０を整流ダイオードＤ１０により整流し、平滑コンデンサＣ１１により平滑する。そして、変圧された電圧Ｖ２０は、電流検出抵抗Ｒ５１，Ｒ５３を介して所定電圧（本例においては、３．４Ｖ）で制御基板２１へ供給する。
【００７６】
そして、電源制御部１５は、出力電流監視部５０による検出信号Ｓ５と出力電流監視部５２による検出信号Ｓ６との間に差がなくなるまで出力電圧Ｖ２０を増加させる制御を実行する。
【００７７】
すなわち、メインＤＣ／ＤＣコンバータ１０３から制御基板２１への電圧供給が行われ、サブＤＣ／ＤＣコンバータ１０４からは制御基板２１に電圧が供給されない。
【００７８】
したがって、スリープモードから通常動作モードへの復帰時において、制御基板２１への電源供給が途絶えることなく、高速にサブＤＣ／ＤＣコンバータ１０４からメインＤＣ／ＤＣコンバータ１０３への切換が実行される。
【００７９】
図２は、本発明の実施の形態１に従う電源装置２の通常動作モードの起動時の動作について説明するフロー図である。
【００８０】
図２を参照して、まず、メインＤＣ／ＤＣコンバータ１０３を起動する（ステップＳ１０）。具体的には、交流電源ＡＣを接続することによりメインＤＣ／ＤＣコンバータ１０３が起動する。
【００８１】
次に、起動信号Ｓ７が入力されたかどうか判断する（ステップＳ１４）。具体的には、電源制御部１１５に対して制御基板２１からの起動信号が入力されたかどうかを判断する。
【００８２】
ステップＳ１４において、起動信号Ｓ７が電源制御部１１５に入力された場合（ステップＳ１４においてＹＥＳ）には、サブＤＣ／ＤＣコンバータ１０４が起動する（ステップＳ１５）。
【００８３】
一方、ステップＳ１４において、起動信号Ｓ７が電源制御部１１５に入力されない場合（ステップＳ１４においてＮＯ）には、サブＤＣ／ＤＣコンバータ１０４はオフ状態を維持する。そして、再びステップＳ１４に戻る。
【００８４】
サブＤＣ／ＤＣコンバータ１０４が起動した後、出力電流を確認する（ステップＳ１６）。具体的には、電源制御部１５は、検出信号Ｓ５と検出信号Ｓ６とを確認する。
【００８５】
そして、次に、出力電流監視部５０の電流値と出力電流監視部５２との電流値とを比較し、出力電流監視部５０の電流値と出力電流監視部５２との電流値とが一致するかどうかを判断する（ステップＳ１７）。
【００８６】
ステップＳ１７において、電源制御部１５は、出力電流監視部５０の電流値と出力電流監視部５２との電流値とが一致すると判断する場合（ステップＳ１７においてＹＥＳ）には、メインＤＣ／ＤＣコンバータ１０３より全ての電圧が供給されている状態と判定（ステップＳ２０）して、起動処理を終了する（エンド）。
【００８７】
一方、ステップＳ１７において、電源制御部１５は、出力電流監視部５０の電流値と出力電流監視部５２との電流値とが一致しないと判断した場合（ステップＳ１７においてＮＯ）には、メインＤＣ／ＤＣコンバータ１０３の出力電圧を増加（ステップＳ１８）させて、再び、ステップＳ１６に戻り、ステップＳ１７において、出力電流監視部５０の電流値と出力電流監視部５２との電流値とが一致すると判断するまで当該処理を繰り返す。
【００８８】
そして、出力電流監視部５０の電流値と出力電流監視部５２との電流値とが一致した場合（ステップＳ１７においてＹＥＳ）に、メインＤＣ／ＤＣコンバータ１０３より全ての電圧を供給する状態と判定（ステップＳ２０）して、起動処理を終了する（エンド）。
【００８９】
図３は、本発明の実施の形態１に従う電源装置２のスリープモードの移行処理開始の動作について説明するフロー図である。
【００９０】
図３を参照して、まず、出力電流を確認する（ステップＳ２１）。具体的には、電源制御部１５は、検出信号Ｓ６を確認する。
【００９１】
そして、次に、電源制御部１５は、検出信号Ｓ６に従って出力電流監視部５２の電流値がスリープモードの電流値である０．５Ａ以下かどうかを判断する（ステップＳ２２）。
【００９２】
電源制御部１５は、スリープモードの電流値である０．５Ａ以下でないと判断した場合（ステップＳ２２においてＮＯ）には、ステップＳ２１に戻る。
【００９３】
そして、ステップＳ２２において、電源制御部１５は、電流値が０．５Ａ以下であると判断した場合（ステップＳ２２においてＹＥＳ）には、スリープモードに移行したと判定する（ステップＳ２３）。
【００９４】
そして、次に、メインＤＣ／ＤＣコンバータ１０３の出力電圧を減少させる（ステップＳ２４）。具体的には、電源制御部１５は、メインＤＣ／ＤＣコンバータ１０３のトランスＴ７をスイッチング制御し、出力電圧Ｖ２０を減少させる。
【００９５】
これにより、サブＤＣ／ＤＣコンバータ１０４から電圧が供給される状態となる（ステップＳ２６）。
【００９６】
そして、メインＤＣ／ＤＣコンバータ１０３を停止させる（ステップＳ２８）。具体的には、メインＤＣ／ＤＣコンバータ１０３をオフにするためにスリープ制御信号Ｓ４をスイッチＳＷ１に出力する。
【００９７】
これにより、サブＤＣ／ＤＣコンバータ１０４より全ての電圧が供給される状態と判定（ステップＳ３０）して、スリープモード移行処理を終了する（エンド）。
【００９８】
したがって、スリープモード移行時において、制御基板２１への電圧供給が途絶えることなく、高速にメインＤＣ／ＤＣコンバータ１０３からサブＤＣ／ＤＣコンバータ１０４への切換が実行される。
【００９９】
図４は、本発明の実施の形態１に従う電源装置２のスリープモードの復帰処理の動作について説明するフロー図である。
【０１００】
図４を参照して、メインＤＣ／ＤＣコンバータ１０３を起動する（ステップＳ４０）。具体的には、制御基板２１は、スイッチＳＷ１をオンするように制御信号Ｓ８をスイッチＳＷ１に出力する。スイッチＳＷ１は、制御信号Ｓ８の入力を受けてオン状態となり、メインＤＣ／ＤＣコンバータ１０３と交流電源ＡＣとが電気的に結合される。
【０１０１】
そして、次に、出力電流を確認する（ステップＳ４１）。具体的には、電源制御部１５は、検出信号Ｓ５と検出信号Ｓ６とを確認する。
【０１０２】
そして、次に、出力電流監視部５０の電流値と出力電流監視部５２との電流値とを比較し、出力電流監視部５０の電流値と出力電流監視部５２との電流値とが一致するかどうかを判断する（ステップＳ４２）。
【０１０３】
ステップＳ４２において、電源制御部１５は、出力電流監視部５０の電流値と出力電流監視部５２との電流値とが一致すると判断する場合（ステップＳ４２においてＹＥＳ）には、メインＤＣ／ＤＣコンバータ１０３より全ての電圧が供給されている状態であると判定（ステップＳ４４）して、スリープモードの復帰処理を終了する（エンド）。
【０１０４】
一方、ステップＳ４２において、電源制御部１５は、出力電流監視部５０の電流値と出力電流監視部５２との電流値とが一致しないと判断した場合（ステップＳ４２においてＮＯ）には、メインＤＣ／ＤＣコンバータ１０３の出力電圧を増加させて、再び、ステップＳ４１に戻り、ステップＳ４２において、出力電流監視部５０の電流値と出力電流監視部５２との電流値とが一致すると判断するまで当該処理を繰り返す。
【０１０５】
そして、出力電流監視部５０の電流値と出力電流監視部５２との電流値とが一致した場合（ステップＳ４２においてＹＥＳ）に、メインＤＣ／ＤＣコンバータ１０３より全ての電圧が供給される状態と判定（ステップＳ２０）して、スリープモードの復帰処理を終了する（エンド）。
【０１０６】
したがって、スリープモードから通常動作モードへの復帰時において、制御基板２１への電源供給が途絶えることなく、高速にサブＤＣ／ＤＣコンバータ１０４からメインＤＣ／ＤＣコンバータ１０３への切換が実行される。
【０１０７】
（実施の形態２）
図５は、本発明の実施の形態２に従う電源装置の回路構成を説明する図である。
【０１０８】
図５を参照して、本発明の実施の形態２に従う電源装置２＃は、電源装置２と比較して、メインＤＣ／ＤＣコンバータ１０３，１０４の構成が異なる。その他の点については実施の形態１で説明したのと同様である。
【０１０９】
具体的には、メインＤＣ／ＤＣコンバータ１０３＃は、メインＤＣ／ＤＣコンバータ１０３と比較して、出力電流監視部５２および電流検出抵抗Ｒ５３を削除した点と、電源制御部１５が出力電流監視部５２からの検出信号Ｓ６の入力を受けず、代わりに検出信号Ｓ６＃の入力を受ける点が異なる。その他の点については同様であるのでその詳細な説明は繰り返さない。
【０１１０】
サブＤＣ／ＤＣコンバータ１０４＃は、サブＤＣ／ＤＣコンバータ１０４と比較して、出力電流監視部１５１と、電流検出抵抗Ｒ１５２とを新たに設けた点が異なるその他の点については同様であるのでその詳細な説明は繰り返さない。
【０１１１】
出力電流監視部１５１は、電源ノードＮｓと電源ノードＮｔとの間に平滑コンデンサＣ１１１と並列に接続される。また、電源ノードＮｓと電源ノードＮｕとの間に電流検出抵抗Ｒ１５２が設けられ、出力電流監視部１５１は、電流検出抵抗Ｒ１５２に流れる電流を検出して、電流値を示す検出信号Ｓ６＃を電源制御部１５に出力する。また、抵抗Ｒ１１２，Ｒ１１３は、電源ノードＮｕと電源ノードＮｔとの間に接続され、出力電圧監視部１１４は、抵抗Ｒ１１２，Ｒ１１３による抵抗分割により分圧した電圧を監視して、その検出信号Ｓ３を電源制御部１１５に出力する。
【０１１２】
また、電源ノードＮｕと電源ノードＮｒとが電気的に結合され、電源ノードＮｒと制御基板２１とは電気的に結合される。
【０１１３】
その他の点については実施の形態１で説明したのと同様であるのでその詳細な説明については繰り返さない。
【０１１４】
次に、図５の電源装置２＃の通常動作モードの起動時の動作について説明する。
電源装置２に交流電源ＡＣが接続されると、メインＤＣ／ＤＣコンバータ１０３＃、サブＤＣ／ＤＣコンバータ１０４＃に交流電圧が供給される。
【０１１５】
サブＤＣ／ＤＣコンバータ１０４＃は、ダイオードＤ１０５ａ〜Ｄ１０５ｄにより交流電圧を整流し、さらに、平滑コンデンサＣ１０６で平滑する。
【０１１６】
電源制御部１１５は、制御基板２１からの起動信号Ｓ７に従って起動し、スイッチＳＷ２をオンする制御信号Ｓ８を出力する。この時点においては、制御基板２１からの起動信号Ｓ７は、電源制御部１１５に入力されていないのでスイッチＳＷ２をオンする制御信号Ｓ８は出力されていない。したがって、スイッチＳＷ２はオフであり、トランスＴ１０７への電源供給はオフされており、サブＤＣ／ＤＣコンバータ１０４＃は起動していない状態である。
【０１１７】
一方、メインＤＣ／ＤＣコンバータ１０３＃は、ダイオードＤ５ａ〜Ｄ５ｄにより交流電圧を整流し、さらに、平滑コンデンサＣ６で平滑する。なお、スイッチＳＷ１は起動時において導通状態であるものとする。
【０１１８】
そして、平滑された電圧をトランスＴ７により電圧Ｖ２０に変圧し、二次側へ供給する。そして、電圧Ｖ２０を整流ダイオードＤ１０により整流し、平滑コンデンサＣ１１により平滑する。そして、変圧された電圧Ｖ２０は、電流検出抵抗Ｒ５１を介して所定電圧（本例においては、３．４Ｖ）で制御基板２１へ供給する。
【０１１９】
また、この所定電圧（３．４Ｖ）を抵抗Ｒ１２，Ｒ１３により分割した電圧が出力電圧監視部１４に入力される。出力電圧監視部１４は、分割した電圧レベルを監視し、検出信号Ｓ２を電源制御部１５に出力する。
【０１２０】
電源制御部１５は、出力電圧監視部１４から出力された検出信号Ｓ２に従って、２次側の制御基板２１に供給される電圧が所定電圧（３．４Ｖ）となるように制御信号Ｓ１に従うスイッチＳＷ３のオンオフ制御（ＰＷＭ制御）を実行する。この動作によりトランスＴ７をスイッチング制御し、出力電圧を３．４Ｖに維持する。
【０１２１】
そして、制御基板２１は、メインＤＣ／ＤＣコンバータ１０３＃により所定電圧（３．４Ｖ）が供給されて起動する。
【０１２２】
制御基板２１は、通常動作モードの起動時にサブＤＣ／ＤＣコンバータ１０４＃の電源制御部１１５へ起動信号Ｓ７を出力する。
【０１２３】
サブＤＣ／ＤＣコンバータ１０４＃の電源制御部１１５は、起動信号Ｓ７の受信に従い起動して、ＰＷＭ制御を開始する。具体的には、電源制御部１１５は、スイッチＳＷ２をオンオフ制御する制御信号Ｓ８を出力する。この動作により、整流平滑された電圧がトランスＴ１０７へ供給される。
【０１２４】
そして、平滑された電圧をトランスＴ１０７により電圧Ｖ１２０に変圧し、二次側へ供給する。そして、電圧Ｖ１２０を整流ダイオードＤ１１０により整流し、平滑コンデンサＣ１１１により平滑する。電源ノードＮｕ，Ｎｔは、それぞれ電源ノードＮｒ，Ｎｑと電気的に結合されているため所定電圧（本例においては３．４Ｖ）を制御基板２１側へ供給する。
【０１２５】
また、この所定電圧（３．４Ｖ）を抵抗Ｒ１１２，Ｒ１１３により分割した電圧が出力電圧監視部１１４に入力される。出力電圧監視部１１４は、分割した電圧レベルを監視し、検出信号Ｓ３を電源制御部１１５に出力する。
【０１２６】
電源制御部１１５は、出力電圧監視部１１４から出力された検出信号Ｓ３に従って、２次側に供給する電圧が所定電圧（３．４Ｖ）となるように制御信号Ｓ８に従うスイッチＳＷ２のオンオフ制御（ＰＷＭ制御）を実行する。この動作によりトランスＴ１０７をスイッチング制御し、出力電圧を３．４Ｖに維持しようとする。
【０１２７】
この時点において、メインＤＣ／ＤＣコンバータ１０３＃およびサブＤＣ／ＤＣコンバータ１０４＃が互いに並列に接続された状態で制御基板２１に対する所定電圧（３．４Ｖ）の電圧供給が行われる。
【０１２８】
出力電流監視部５０は、電流検出抵抗Ｒ５１の電流容量を監視し、メインＤＣ／ＤＣコンバータ１０３＃から供給される所定電圧（３．４Ｖ）の電流レベル（電流値）に相当する検出信号Ｓ５を電源制御部１５に出力する。
【０１２９】
出力電流監視部１５１は、電流検出抵抗Ｒ１５２の電流容量を監視する。具体的には、出力電流監視部１５１は、サブＤＣ／ＤＣコンバータ１０４＃から供給される所定電圧（３．４Ｖ）の電流レベル（電流値）に相当する検出信号Ｓ６＃を電源制御部１５に出力する。
【０１３０】
サブＤＣ／ＤＣコンバータ１０４＃が起動するまでは、電源制御部１５は、出力電流監視部５０による検出信号Ｓ５のみの入力を受ける。
【０１３１】
そして、サブＤＣ／ＤＣコンバータ１０４＃が起動した後は、電源制御部１５は、電流検出抵抗Ｒ１５２に流れる電流レベルに相当する検出信号Ｓ６＃の入力を受ける。
【０１３２】
電流レベルに相当する検出信号Ｓ６＃の入力を受けるということは、メインＤＣ／ＤＣコンバータ１０３＃およびサブＤＣ／ＤＣコンバータ１０４＃の両方から所定電圧が供給されていることを意味する。
【０１３３】
本発明の実施の形態２に従う電源装置においては、通常動作モードにおいてメインＤＣ／ＤＣコンバータ１０３＃から所定電圧（３．４Ｖ）を供給するように電源制御部１５は制御する。
【０１３４】
具体的には、電源制御部１５は、検出信号Ｓ６＃を監視し、サブＤＣ／ＤＣコンバータ１０４＃の電流レベルが０Ａとなるように、メインＤＣ／ＤＣコンバータ１０３＃のトランスＴ１０７をスイッチング制御し、出力電圧Ｖ１２０を増加させる。検出信号Ｓ６＃を監視し、サブＤＣ／ＤＣコンバータ１０４＃の電流レベルが０となるということは、制御基板２１に対する電圧供給は、全て、メインＤＣ／ＤＣコンバータ１０３＃からの供給であることを意味する。
【０１３５】
すなわち、通常動作モード時においては、メインＤＣ／ＤＣコンバータ１０３＃から所定電圧（３．４Ｖ）が制御基板２１に供給され、サブＤＣ／ＤＣコンバータ１０４＃からは所定電圧（３．４Ｖ）が制御基板２１に供給されない構成とする。
【０１３６】
次に、図５の電源装置２のスリープモード移行時の動作について説明する。
電源制御部１５は、制御基板２１がスリープモードに移行した場合の必要電流値（例えば、０．５Ａ）を記憶しているものとする。
【０１３７】
出力電流監視部５０は、電流検出抵抗Ｒ５１の電流容量を監視し、制御基板２１がスリープモードに移行する際の電流レベル（電流値）に相当する検出信号Ｓ５を電源制御部１５に出力する。
【０１３８】
電源制御部１５は、出力されてきた検出信号Ｓ５に基づいて制御基板２１での必要電流値（０．５Ａ）以下となったかどうかを判断する。
【０１３９】
そして、電源制御部１５は、検出信号Ｓ５に従って必要電流値以下となったと判断した場合に、制御基板２１はスリープモードに移行したと判定し、メインＤＣ／ＤＣコンバータ１０３＃のトランスＴ７をスイッチング制御し、出力電圧Ｖ２０を減少させる。
【０１４０】
これにより、サブＤＣ／ＤＣコンバータ１０４＃から制御基板２１への電圧供給が行われ、サブＤＣ／ＤＣコンバータ１０４＃からスリープモード時の電流０．５Ａを流れ出す動作が行なわれる。
【０１４１】
そして、その後、電源制御部１５は、メインＤＣ／ＤＣコンバータ１０３＃をオフにするためにスリープ制御信号Ｓ４をスイッチＳＷ１に出力する。
【０１４２】
スイッチＳＷ１は、スリープ制御信号Ｓ４の入力に応答してオフ状態となり、メインＤＣ／ＤＣコンバータ１０３＃への交流電源ＡＣの供給を遮断する。
【０１４３】
すなわち、スリープモード移行時において、メインＤＣ／ＤＣコンバータ１０３＃はオフ状態となり、サブＤＣ／ＤＣコンバータ１０４＃から制御基板２１に対する電圧供給を継続される。
【０１４４】
したがって、制御基板２１への電圧供給が途絶えることなく、高速にメインＤＣ／ＤＣコンバータ１０３＃からサブＤＣ／ＤＣコンバータ１０４＃への切換が実行される。
【０１４５】
次に、図５の電源装置２のスリープモードから通常動作モードへの復帰時の動作について説明する。
【０１４６】
制御基板２１は、スリープモードから通常動作モードへの復帰前にスイッチＳＷ１をオンするように制御信号Ｓ８をスイッチＳＷ１に出力する。スイッチＳＷ１は、制御信号Ｓ８の入力を受けてオン状態となり、メインＤＣ／ＤＣコンバータ１０３＃と交流電源ＡＣとが電気的に結合される。
【０１４７】
これに伴い、メインＤＣ／ＤＣコンバータ１０３＃が起動し、ダイオードＤ５ａ〜Ｄ５ｄにより交流電圧を整流し、さらに、平滑コンデンサＣ６で平滑する。そして、平滑された電圧をトランスＴ７により電圧Ｖ２０に変圧し、二次側へ供給する。そして、電圧Ｖ２０を整流ダイオードＤ１０により整流し、平滑コンデンサＣ１１により平滑する。そして、変圧された電圧Ｖ２０は、電流検出抵抗Ｒ５１を介して所定電圧（本例においては、３．４Ｖ）で制御基板２１へ供給する。
【０１４８】
そして、電源制御部１５は、出力電流監視部１５１による検出信号Ｓ６＃を監視し、サブＤＣ／ＤＣコンバータ１０４＃の電流レベルが０Ａとなるように、メインＤＣ／ＤＣコンバータ１０３＃のトランスＴ１０７をスイッチング制御し、出力電圧Ｖ１２０を増加させる制御を実行する。
【０１４９】
すなわち、メインＤＣ／ＤＣコンバータ１０３＃から制御基板２１への電圧供給が行われ、サブＤＣ／ＤＣコンバータ１０４＃から制御基板２１に供給されない。
【０１５０】
したがって、スリープモードから通常動作モードへの復帰時において、制御基板２１への電源供給が途絶えることなく、高速にサブＤＣ／ＤＣコンバータ１０４＃からメインＤＣ／ＤＣコンバータ１０３＃への切換が実行される。
【０１５１】
図６は、本発明の実施の形態２に従う電源装置２＃の通常動作モードの起動時の動作について説明するフロー図である。
【０１５２】
図６を参照して、まず、メインＤＣ／ＤＣコンバータ１０３＃の起動を開始する（ステップＳ１０）。具体的には、交流電源ＡＣを接続することによりメインＤＣ／ＤＣコンバータ１０３＃が起動する。
【０１５３】
次に、起動信号Ｓ７が入力されたかどうか判断する（ステップＳ１４）。具体的には、電源制御部１１５に対して制御基板２１からの起動信号が入力されたかどうかを判断する。
【０１５４】
ステップＳ１４において、起動信号Ｓ７が電源制御部１１５に入力された場合（ステップＳ１４においてＹＥＳ）には、サブＤＣ／ＤＣコンバータ１０４＃が起動する（ステップＳ１５）。
【０１５５】
一方、ステップＳ１４において、起動信号Ｓ７が電源制御部１１５に入力されない場合（ステップＳ１４においてＮＯ）には、サブＤＣ／ＤＣコンバータ１０４＃はオフ状態を維持する。そして、再びステップＳ１４に戻る。
【０１５６】
サブＤＣ／ＤＣコンバータ１０４＃が起動した後、出力電流を確認する（ステップＳ１６）。具体的には、電源制御部１５は、出力電流監視部１５１からの検出信号Ｓ６＃を確認する。
【０１５７】
そして、次に、出力電流監視部１５１の電流値を監視し、電流値が０Ａであるかどうかを判断する（ステップＳ１７＃）。
【０１５８】
ステップＳ１７＃において、電源制御部１５は、出力電流監視部１５１の電流値が０Ａと判断する場合（ステップＳ１７＃においてＹＥＳ）には、メインＤＣ／ＤＣコンバータ１０３＃より全ての電圧が供給されている状態と判定（ステップＳ２０）して、起動処理を終了する（エンド）。
【０１５９】
一方、ステップＳ１７＃において、電源制御部１５は、出力電流監視部１５１の電流値が０Ａでないと判断する場合（ステップＳ１７＃においてＮＯ）には、メインＤＣ／ＤＣコンバータ１０３＃の出力電圧を増加（ステップＳ１８）させて、再び、ステップＳ１６に戻り、ステップＳ１７＃において、出力電流監視部１５１の電流値が０Ａと判断するまで当該処理を繰り返す。
【０１６０】
そして、出力電流監視部１５１の電流値が０Ａとなった場合（ステップＳ１７＃においてＹＥＳ）に、メインＤＣ／ＤＣコンバータ１０３＃より全ての電圧を供給する状態と判定（ステップＳ２０）して、起動処理を終了する（エンド）。
【０１６１】
図７は、本発明の実施の形態２に従う電源装置２＃のスリープモードの移行処理開始の動作について説明するフロー図である。
【０１６２】
図７を参照して、まず、出力電流を確認する（ステップＳ２１）。具体的には、電源制御部１５は、検出信号Ｓ５を確認する。
【０１６３】
そして、次に、電源制御部１５は、検出信号Ｓ５に従って出力電流監視部５０の電流値がスリープモードの電流値である０．５Ａ以下かどうかを判断する（ステップＳ２２）。
【０１６４】
そして、ステップＳ２２において、電流値が０．５Ａ以下であると判断した場合（ステップＳ２２においてＹＥＳ）には、スリープモードに移行したと判定する（ステップＳ２３）。
【０１６５】
そして、次に、メインＤＣ／ＤＣコンバータ１０３＃の出力電圧を減少させる（ステップＳ２４）。
【０１６６】
これにより、サブＤＣ／ＤＣコンバータ１０４＃から電圧が供給される状態となる（ステップＳ２６）。
【０１６７】
そして、メインＤＣ／ＤＣコンバータ１０３＃を停止させる（ステップＳ２８）。具体的には、メインＤＣ／ＤＣコンバータ１０３＃をオフにするためにスリープ制御信号Ｓ４をスイッチＳＷ１に出力する。
【０１６８】
これにより、サブＤＣ／ＤＣコンバータ１０４＃より全ての電圧が供給される状態と判定（ステップＳ３０）して、スリープモードの移行処理を終了する（エンド）。
【０１６９】
したがって、スリープモード移行時において、制御基板２１への電圧供給が途絶えることなく、高速にメインＤＣ／ＤＣコンバータ１０３＃からサブＤＣ／ＤＣコンバータ１０４＃への切換が実行される。
【０１７０】
図８は、本発明の実施の形態２に従う電源装置２＃のスリープモードの復帰処理の動作について説明するフロー図である。
【０１７１】
図８を参照して、メインＤＣ／ＤＣコンバータ１０３＃を起動する（ステップＳ４０）。具体的には、制御基板２１は、スイッチＳＷ１をオンするように制御信号Ｓ８をスイッチＳＷ１に出力する。スイッチＳＷ１は、制御信号Ｓ８の入力を受けてオン状態となり、メインＤＣ／ＤＣコンバータ１０３＃と交流電源ＡＣとが電気的に結合される。
【０１７２】
そして、次に、出力電流を確認する（ステップＳ４１）。具体的には、電源制御部１５は、検出信号Ｓ６＃を確認する。
【０１７３】
そして、次に、出力電流監視部１５１の電流値を監視し、電流値が０Ａであるかどうかを判断する（ステップＳ４２＃）。
【０１７４】
ステップＳ４２＃において、電源制御部１５は、出力電流監視部１５１の電流値が０Ａと判断する場合（ステップＳ４２＃においてＹＥＳ）には、メインＤＣ／ＤＣコンバータ１０３＃より全ての電圧が供給されている状態であると判定（ステップＳ４４）して、スリープモードの復帰処理を終了する（エンド）。
【０１７５】
一方、ステップＳ４２＃において、電源制御部１５は、、出力電流監視部１５１の電流値が０Ａでないと判断した場合（ステップＳ４２＃においてＮＯ）には、メインＤＣ／ＤＣコンバータ１０３＃の出力電圧を増加させて、再び、ステップＳ４１に戻り、ステップＳ４２＃において、出力電流監視部１５１の電流値が０Ａで判断するまで当該処理を繰り返す。
【０１７６】
そして、出力電流監視部１５１の電流値が０Ａと判断した場合（ステップＳ４２＃においてＹＥＳ）に、メインＤＣ／ＤＣコンバータ１０３＃より全ての電圧が供給される状態と判定（ステップＳ４４）して、スリープモードの復帰処理を終了する（エンド）。
【０１７７】
したがって、スリープモードから通常動作モードへの復帰時において、制御基板２１への電源供給が途絶えることなく、高速にサブＤＣ／ＤＣコンバータ１０４＃からメインＤＣ／ＤＣコンバータ１０３＃への切換が実行される。
【０１７８】
図９は、本発明の実施の形態に従う電源装置が搭載された画像形成装置の概略ブロック図である。
【０１７９】
図９を参照して、画像形成装置は、電源装置２と、操作部２１０と、プリンタコントローラ２２０と、プリンタエンジン２３０とを含む。
【０１８０】
ここでは、電源装置２が制御基板であるプリンタコントローラ２２０と接続されている場合が示されている。プリンタコントローラ２２０は、画像を形成するためのプリンタエンジン２３０を制御する制御コントローラである。また、プリンタコントローラ２２０は、操作部２１０と接続されている。操作部２１０からの操作指示に従って、プリンタコントローラ２２０は、プリンタエンジン２３０を制御して操作指示に従う所定の画像形成処理を実行する。なお、ここでは、電源装置２が用いられている場合について示されているが電源装置２＃についても同様に適用可能である。また、本例においては、制御基板の一例としてプリンタコントローラが示されているが、特にプリンタコントローラには限られない。
【０１８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１８２】
２，２＃  電源装置、８，１０８  一次巻線、９，１０９  二次巻線、１１，１７  補助巻線、１４，１１４  出力電圧監視部、１５，１１５  電源制御部、２１  制御基板、５０，５２，１５１  出力電流監視部、１０３，１０３＃  メインＤＣ／ＤＣコンバータ、１０４，１０４＃  サブＤＣ／ＤＣコンバータ、２１０  操作部、２２０  プリンタコントローラ、２３０  プリンタエンジン。
【図１】
2012044725.tif 000003
【図２】
2012044725.tif 000004
【図３】
2012044725.tif 000005
【図４】
2012044725.tif 000006
【図５】
2012044725.tif 000007
【図６】
2012044725.tif 000008
【図７】
2012044725.tif 000009
【図８】
2012044725.tif 000010
【図９】
2012044725.tif 000011